(57)【要約】【課題】  容器体ないしキャップ本体のいずれかを意味するキャップ等上部へ嵌合させた蓋体の取外し操作を簡易に行えるよう設けた。【解決手段】  キャップ等11上部へ嵌合させる蓋体21の一方側部に有底凹溝26を穿設して蓋体主部27と蓋体側部28とを形成し、該有底凹溝底板30を複数底板部分に分割し、隣接する一方底板部分は脚部32として蓋体主部27側端部を切断し、他方底板部分を弾性変形板33とし、上記蓋体側部28を蓋体主部27側へ押すと脚部32先端が肩部12上面へ接し回動することで蓋体21がキャップ等11上部から離脱可能に形成した。【選択図】  図５
2005104527.tif 000002
【特許請求の範囲】
【請求項１】
第１周壁15上端から肩部12を介して口部16を起立するキャップ等11と、口部16を閉塞してキャップ等上部へ第２周壁23を嵌合する蓋体21とからなり、
該蓋体側部に有底の凹溝26を形成して蓋体主部27と蓋体側部28とに区分すると共に凹溝26底板を複数底板部分に分割してこれ等隣接する底板部分の一方は蓋体主部27側端部を切断して脚部32とすると共に他方底板部分は弾性変形板33とし、
上記蓋体側部28を蓋体主部27側へ押すと、脚部32先端が肩部12上面へ接し回動することで蓋体主部27がキャップ等11上部から離脱可能に形成した
ことを特徴とする蓋体付きキャップ等。
【請求項２】
上記有底凹溝26を、蓋体左右の両側部に形成して、これ等凹溝間の蓋体部分を蓋体主部27に、かつ左右両側蓋体部分を蓋体側部28に、それぞれ形成した
ことを特徴とする請求項１記載の蓋体付きキャップ等。
【請求項３】
キャップ等の第１周壁15上端一部と、蓋体第２周壁23の下端一部との各適所をヒンジ41で連結した
ことを特徴とする、請求項１又は２記載の蓋体付きキャップ等。
【請求項４】
上記脚部32先端を、蓋体主部27の凹溝側の下端部に穿設した凹部35内へ嵌合させた
ことを特徴とする請求項１、２又は３記載の蓋体付きキャップ等。
【発明の詳細な説明】
【技術分野】
【０００１】
本発明は蓋体付きキャップ等に関する。
尚該明細書においてキャップ等とは、キャップ本体又は容器体を指すものとする。
【背景技術】
【０００２】
キャップ本体上部へ蓋体を嵌合させたキャップは、例えば特許文献１が示すように、又容器体上部へ蓋体を嵌合させた蓋体付き容器は特許文献２が示すように周知である。
【特許文献１】特開２００３−４０３０２号公報
【特許文献２】特開２００３−７２７８７号公報
【発明の開示】
【発明が解決しようとする課題】
【０００３】
本発明は、キャップ本体又は容器体上部へ嵌合させる蓋体の着脱、特に取外しを極めて容易に行えるよう設けたものである。
【課題を解決するための手段】
【０００４】
第１の手段として第１周壁15上端から肩部12を介して口部16を起立するキャップ等11と、口部16を閉塞してキャップ等上部へ第２周壁23を嵌合する蓋体21とからなり、
該蓋体側部に有底の凹溝26を形成して蓋体主部27と蓋体側部28とに区分すると共に凹溝26底板を複数底板部分に分割してこれ等隣接する底板部分の一方は蓋体主部27側端部を切断して脚部32とすると共に他方底板部分は弾性変形板33とし、
上記蓋体側部28を蓋体主部27側へ押すと、脚部32先端が肩部12上面へ接し回動することで蓋体主部27がキャップ等11上部から離脱可能に形成した。
【０００５】
第２の手段として、上記第１の手段を有すると共に上記有底凹溝26を、蓋体左右の両側部に形成して、これ等凹溝間の蓋体部分を蓋体主部27に、かつ左右両側蓋体部分を蓋体側部28に、それぞれ形成した。
【０００６】
第３の手段として、上記第１又は第２の手段を有すると共にキャップ等の第１周壁15上端一部と、蓋体第２周壁23の下端一部との各適所をヒンジ41で連結した。
【０００７】
第４の手段として、上記第１、第２、又は第３の手段を有すると共に上記脚部32先端を、蓋体主部27の凹溝側の下端部に穿設した凹部35内へ嵌合させた。
【発明の効果】
【０００８】
請求項１又は２のようにすることで、蓋体側部28を蓋体主部27側へ押すだけで各脚部32が肩部12上方へ立上ることとなり、該立上りで蓋体主部27を引上げて蓋体21をキャップ等11上部から外すこととなり、よってその蓋体取外しが極めて容易となる。
特に請求項２の場合は左右両側の蓋体側部28を摘むだけでその蓋体の取外しが出来、極めて便利である。
【０００９】
請求項３の場合は、ヒンジ41の連結で、取外した蓋体をそのまま放してもキャップ等第１周壁の後部上端に連結されたままとなり、取外した蓋体置場に困ることがない。
【００１０】
請求項４の場合は、脚部32先端が蓋体主部27の凹溝側下端の凹部35内へ嵌合させてあるから、肉薄ヒンジ34の弾性が弱くても、蓋体側部28が蓋体の側外方へ傾くことがない。  
【発明を実施するための最良の形態】
【００１１】
以下図面について説明する。まず図１から図４が示す第１実施形態について説明すると、１は容器体で胴部２上端から斜上内方への内向きフランジ状部３を介して口頸部４を起立する。
【００１２】
11は口頸部４内外面へ、肩部12下面から垂下させた内外筒13,14 を嵌合させたキャップ本体によるキャップ等で、その肩部外周から第１周壁15を垂下する。肩部12の内周からは口部16を起立する。該口部は下部16a を大径とし、該下部上端から内向きフランジを介して口部上部16b としての半球面状のノズルを上方へ突出する。口部下部の外面とノズルの下部外面とにはそれぞれ第１、第２係合突部を周設している。
【００１３】
21は蓋体で、頂板22外周から第２周壁23を垂下し、又頂板下面からは上記ノズル外面へ嵌合させてノズル孔を閉塞する第１筒部24と、上記口部の下部16a 外面へ嵌合させた第２筒部25とを垂下し、それ等両筒部内面には上記第１、第２係合突部下面へ係合させた第３、第４係合突部を周設している。
図１が示すように蓋体21の前方側部には、上面および左右両面開口でかつ有底の凹溝26を設け、該凹溝両側の大形部分と小形部分とを蓋体主部27と蓋体側部28とに形成する。尚図１から図５において、図左方を前、図右方を後とする。
【００１４】
尚図示例では蓋体主部27の凹溝側の左右方向中間部を凹溝側へ張出してその張出し側面の前方向中間部を既述第２筒部25の側部と共用しているが、上記張出し部29は必ずしも必要としない。又蓋体側部28は左右方向からみて上部を外方へ屈曲させた１枚の板状に形成している。
【００１５】
上記凹溝底板30は、図２が示すように前後方向への切割り線31穿設により複数の底板部分で形成する。図示例では図２が示すように底板30の左右に２本の切割り線31を設けて左右および中間の３箇の底板部分に分割している。
それ等底板部分のうち、隣接する一方底板部分は脚部32として蓋体主部27側の端部を切断し、又他方底板部分は弾性変形板33として蓋体側部28側の端部に肉薄ヒンジ34を設ける。図示例では左右両部の底板部分を脚部32とし、かつ中間の底板部分を弾性変形板33とするが、これ等は逆に、つまり左右両部を弾性変形板33に、中間部を脚部32にしてもよい。  それ等脚部32先端側の、蓋体主部27の凹溝側下端へは凹部35を設けてその凹部内へ脚部32先端を嵌合させるとよい。該嵌合により、上記肉薄ヒンジ34を中心として蓋体側部28が前方へ傾き難くすることができる。
【００１６】
上記構成において蓋体側部28の上部を図４が二点鎖線で示すように蓋体主部27側へ押すと、脚部32先端が肩部12上面へ接することで、蓋体側部28は押上げられることとなり、すると肉薄ヒンジ34を介して弾性変形板33も引上げられることとなり、よって該弾性変形板を有する蓋体主部27も引上げられ、よって蓋体21はキャップ等11から外れることとなる。該蓋体嵌合の際はキャップ等上方へ蓋体を位置させ、そのまま下方へ押下げすればよい。    
【００１７】
尚上記蓋体21は、キャップ等の第１周壁15の後部上端と蓋体第２周壁23の後部下端とをヒンジ41で連結させることが望ましい。
【００１８】
図５は第２実施形態を示す。該実施形態はキャップ等11を容器体で形成し、その上部へ蓋体21を嵌合させた例を示すもので、容器体上面は既述キャップ本体と同様に第１周壁15上端から肩部12を介して口部16を起立し、その口部は下部を大径とし、その下部上端から内向きフランジを介して口部上部16b としてのノズルを起立している。
【００１９】
21は蓋体で、頂板22外周から第２周壁23を垂下し、又頂板下面からノズル内へ嵌合させて栓36を垂下し、又上記口部の下部外面へ嵌合させて第２筒部25を垂下し、該第２筒部の下部内面と口部下部16a の外面とは互いに係合させて係合突条を付設している。その他蓋体部分は第１実施形態の場合と同様に形成しており、同一符号を付することで説明は省略する。
【００２０】
図６は第３実施形態を示す。該実施形態は、上記有底凹溝26を蓋体左右の両側部へ形成して、これ等両凹溝間の蓋体部分を蓋体主部27に、かつ各凹溝外方側の蓋体部分を蓋体側部28に形成したもので、その他部分は第１、第２実施形態の場合と同様に形成すればよい。
【００２１】
11はキャップ本体又は容器体のいずれをも含むキャップ等とする。尚該実施形態にお  いてキャップ等と蓋体21とをヒンジ連結させる場合は、それ等第１、第２周壁の前後いずれかの上端と下端とをヒンジ連結することとなる。
【００２２】
既述実施形態においてはキャップ等および蓋体平面形状を眞円形状としたが、蓋体の側部の一方ないし双方に有底凹溝を形成するから、又その凹溝は或る程度巾広でないと、蓋体側部を蓋体主部側へ倒しても脚部32の立上りが不充分となるから、その有底凹溝の横巾を充分な巾に設定するためにも、有底凹溝を有する側部側が長い楕円形状、ないし長方形状等とすることが望ましい。
【００２３】
既述各部材はそれぞれ合成樹脂剤で形成している。
【図面の簡単な説明】
【００２４】
【図１】本発明蓋付きキャップ等の斜視図である。
【図２】図１平面図である。
【図３】図１正面図である。
【図４】図１要部の断面図である。
【図５】第２実施形態で示す断面図である。
【図６】第３実施形態で示す正面図である。
【符号の説明】
【００２５】
11  キャップ等                      12  肩部
21  蓋体                            26  凹溝
27  蓋体主部                        28  蓋体側部
32  脚部                            33  弾性変形板
【図１】
2005104527.tif 000003
【図２】
2005104527.tif 000004
【図３】
2005104527.tif 000005
【図４】
2005104527.tif 000006
【図５】
2005104527.tif 000007
【図６】
2005104527.tif 000008